(57)【要約】【課題】  ジグを使わず容易に効率的に組立でき、かつ、組付状態をより確実に維持できる構造を有するソレノイドを提供すること。【解決手段】  第１挟持板部３２の開口部３４に保持筒部１４を挿入し、第２挟持板部３３を第１保持板部１５と第２保持板部１６との間に位置させ、第１挟持板部３２と第２挟持板部３３との間に巻芯部１１、第１鍔部１２及び第２鍔部１３を置き、第２鍔部１３と第２挟持板部３３との間に永久磁石４８とベース４５を差し込むことによって手作業だけで容易に組立できる。外部から衝撃が加わっても、コイルボビン１０の突起部１７及び１８が切欠部４７ａ及び４７ｂで係止されていてベース４５の離脱を防ぐ。また、永久磁石４８はベース４５と第２挟持板部３３とに接しており、永久磁石４８によってベース４５及び第２挟持板部３３との間に吸引力が働くので永久磁石４８も離脱することがない。【選択図】  図１
2011146487.tif 000002
【特許請求の範囲】
【請求項１】
略筒状に形成された巻芯部と、前記巻芯部の両端部にそれぞれ設けられた略板状の第１の鍔部及び第２の鍔部と、前記第２の鍔部の対向する２つの縁辺又はその近傍から前記巻芯部の中心軸と平行に延びるように設けられた略板状の第１の保持板部及び第２の保持板部とを備えたコイルボビンと、
前記巻芯部に挿入されると共に、前記巻芯部の中心軸に沿って摺動可能に設けられた可動磁極と、
前記第１の保持板部と前記第２の保持板部との間に、かつ、前記可動磁極に接触可能な位置に配置されたベースと、
前記第１の保持板部と前記第２の保持板部との間に配置されると共に、前記ベースに接して設けられた永久磁石と、
前記コイルボビン、前記ベース及び前記永久磁石を挟持するように設けられたヨークと
前記巻芯部に巻回されたコイルとを有することを特徴とするソレノイド。
【請求項２】
前記コイルボビンは、前記第２の鍔部の前記巻芯部の開口部が露出している側の面から突出した少なくとも１つの突起部をさらに備え、
前記ベースは、第１の面が前記第２の鍔部の前記巻芯部の開口部が露出している側の面に接するように配置され、前記突起部に対応する部位に切欠部又は開口部が形成されると共に、前記突起部が前記切欠部又は前記開口部内に収まるようになされていることを特徴とする請求項１に記載のソレノイド。
【請求項３】
前記コイルボビンは、前記第１の鍔部に露出した前記巻芯部の開口部の周辺から巻芯部の中心軸と平行に延びるように設けられた略筒状の保持筒部をさらに備え、
前記永久磁石は、第１の面が前記ベースの前記第１の面に背向する第２の面に接するように配置され、
前記ヨークは、略板状に形成された基板部と、前記基板部の縁辺に前記第１の鍔部の前記巻芯部の前記開口部が露出した面と接するように設けられると共に、中央又はその近傍に開口部が設けられ、前記開口部に前記保持筒部が挿入された略板状の第１の挟持板部と、前記基板部の別の縁辺に前記第１の挟板持部と対向すると共に、前記第１の保持板部と前記第２の保持板部との間に、かつ、前記永久磁石の前記第１の面に背向する第２の面と接するように配置された略板状の第２の挟持板部とを備え、前記第１の挟持板部と前記第２の挟持板部とが前記コイルボビン、前記ベース及び前記永久磁石を挟持していることを特徴とする請求項２に記載のソレノイド。
【請求項４】
前記コイルボビンは、前記保持筒部の前記巻芯部の中心軸方向における長さが前記永久磁石の厚さ以上で、かつ、前記ベースの厚さと前記永久磁石の厚さの和未満であることを特徴とする請求項３に記載のソレノイド。
【請求項５】
前記コイルボビンは、前記突起部が前記第２の鍔部と前記第１の保持板部及び前記第２の保持板部とにそれぞれ跨るように２つ設けられていることを特徴とする請求項２から請求項４のいずれか一項に記載のソレノイド。
【請求項６】
前記コイルボビンは、前記第１の保持板部と前記第２の保持板部との少なくともいずれか一方が前記第２の鍔部に背向する面から前記コイルの巻線の端部が突出すると共に、前記巻芯部の中心軸と平行に延びるように溝又は貫通孔を設け、前記溝又は前記貫通孔の内部に前記コイルの前記巻線の端部近傍の部分を配線していることを特徴とする請求項１から請求項５のいずれか一項に記載のソレノイド。
【請求項７】
前記コイルボビンは、前記第１の保持板部及び前記第２の保持板部の上端側及び下端側に前記溝をそれぞれ設け、かつ、前記第１の保持板部の上端側の前記溝と前記第１の保持板部の下端側の前記溝との間と、前記第２の保持板部の上端側の前記溝と前記第２の保持板部の下端側の前記溝との間とにそれぞれ前記貫通孔を設け、これらの前記貫通孔に嵌合されると共に前記第２の鍔部に背向する面から突出する導電性の棒体をそれぞれ設け、前記コイルの前記巻線の端部近傍の部分を前記棒体に巻回していることを特徴とする請求項６に記載のソレノイド。
【請求項８】
前記ベースは、上端部から前記永久磁石の上端面に沿って延びるように形成された折曲部をさらに備えたことを特徴とする請求項２から請求項７のいずれか一項に記載のソレノイド。
【発明の詳細な説明】
【技術分野】
【０００１】
本発明は、ソレノイドに関し、特にヨークを有するものにおいてジグを用いずに組み立てるのに好適な構造を有するソレノイドに関する。
【背景技術】
【０００２】
略コ字状のフレーム型磁極であるヨークを有するソレノイドには、ヨークに加えて、コイル、コイルボビン、可動磁極及びベースなどを有している。このタイプのソレノイドは、比較的簡単な構造にできるので小型化に適しており、様々な機器に採用されている。
【０００３】
ところで、ヨークを有するソレノイドにおいて、組立時の作業性を改善するために様々な構造が提案されている。図１５は、従来技術に係るソレノイドの構造を示す斜視図である。図１５において、９０はソレノイド、９１はヨーク、９２はコイルボビン、９３はコイル、９４は可動磁極、９５は固定磁極、９６ａ及び９６ｂは被係合部、９７は係合部凸部、９８は取り付け部材、９８ａ及び９８ｂは係止爪、９９はガイド溝、９９ａ及び９９ｂは係止部である。
【０００４】
図１５は、特開２００１−２９１６１２公報に開示されているソレノイドである。この従来例では、以下の手順で組み立てる。すなわち、コイル９３を巻き付けたコイルボビン９２に固定磁極９５を挿入する。被係合部９６ａ及び９６ｂが一連に並んだ位置になると、固定磁極９５はコイルボビン９２から突出することなく一体に収納される。次に、被係合部９６ａ及び９６ｂとヨーク９１のガイド溝９９とに、係合部凸部９７及び取り付け部材９８をそれぞれ挿入してコイルボビン９２をスライドさせる。そして、コイルボビン９２が所定の位置になると、係止爪９８ａ及び９８ｂが係止部９９ａ及び９９ｂに係合する。最後に可動磁極９４をコイルボビン９２に挿入する。この構造によれば、ジグを使うことなく手作業でコイルボビン９２をヨーク９１に固定できる。また、被係合部９６ａ及び９６ｂが係合部凸部９７に抑えられるので、固定磁極９５もコイルボビン９２及びヨーク９１に固定される。
【０００５】
しかしながら、以上構造では、コイルボビン９２及びヨーク９１の寸法精度が高くないと、係止爪９８ａ及び９８ｂと係止部９９ａ及び９９ｂとの係合状態が不十分となり、ソレノイド９０の使用中に外部からの衝撃によってコイルボビン９２がヨーク９１から離脱する、又はコイルボビン９２が傾き、可動磁極９４の摺動方向に狂いを生じることもある。場合がある。また、長期間使用する間にコイルボビン９２が劣化すること、あるいは、長期間振動が加わることなどによって、係止爪９８ａ及び９８ｂが係止部９９ａ及び９９ｂから外れる方向に動いてコイルボビン９２が傾くこともある。
【先行技術文献】
【特許文献】
【０００６】
【特許文献１】特開２００１−２９１６１２公報
【発明の概要】
【発明が解決しようとする課題】
【０００７】
本発明は、上記課題を解決するために、ジグを使うことなく容易に、効率的に組立でき、かつ、組付状態をより確実に維持できる構造を有するソレノイドを提供することを目的とする。
【課題を解決するための手段】
【０００８】
請求項１に記載の発明は、略筒状に形成された巻芯部と、前記巻芯部の両端部にそれぞれ設けられた略板状の第１の鍔部及び第２の鍔部と、前記第２の鍔部の対向する２つの縁辺又はその近傍から前記巻芯部の中心軸と平行に延びるように設けられた略板状の第１の保持板部及び第２の保持板部とを備えたコイルボビンと、前記巻芯部に挿入されると共に、前記巻芯部の中心軸に沿って摺動可能に設けられた可動磁極と、前記第１の保持板部と前記第２の保持板部との間に、かつ、前記可動磁極に接触可能な位置に配置されたベースと、  前記第１の保持板部と前記第２の保持板部との間に配置されると共に、前記ベースに接して設けられた永久磁石と、前記コイルボビン、前記ベース及び前記永久磁石を挟持するように設けられたヨークと前記巻芯部に巻回されたコイルとを有することを特徴とするソレノイドである。
【０００９】
請求項２に記載の発明は、請求項１に記載の発明において、前記コイルボビンは、前記第２の鍔部の前記巻芯部の開口部が露出している側の面から突出した少なくとも１つの突起部をさらに備え、前記ベースは、第１の面が前記第２の鍔部の前記巻芯部の開口部が露出している側の面に接するように配置され、前記突起部に対応する部位に切欠部又は開口部が形成されると共に、前記突起部が前記切欠部又は前記開口部内に収まるようになされていることを特徴とするソレノイドである。
【００１０】
請求項３に記載の発明は、請求項２に記載の発明において、前記コイルボビンは、前記第１の鍔部に露出した前記巻芯部の開口部の周辺から巻芯部の中心軸と平行に延びるように設けられた略筒状の保持筒部をさらに備え、前記永久磁石は、第１の面が前記ベースの前記第１の面に背向する第２の面に接するように配置され、前記ヨークは、略板状に形成された基板部と、前記基板部の縁辺に前記第１の鍔部の前記巻芯部の前記開口部が露出した面と接するように設けられると共に、中央又はその近傍に開口部が設けられ、前記開口部に前記保持筒部が挿入された略板状の第１の挟持板部と、前記基板部の別の縁辺に前記第１の挟板持部と対向すると共に、前記第１の保持板部と前記第２の保持板部との間に、かつ、前記永久磁石の前記第１の面に背向する第２の面と接するように配置された略板状の第２の挟持板部とを備え、前記第１の挟持板部と前記第２の挟持板部とが前記コイルボビン、前記ベース及び前記永久磁石を挟持していることを特徴とするソレノイドである。
【００１１】
請求項４に記載の発明は、請求項３に記載の発明において、前記コイルボビンは、前記保持筒部の前記巻芯部の中心軸方向における長さが前記永久磁石の厚さ以上で、かつ、前記ベースの厚さと前記永久磁石の厚さの和未満であることを特徴とするソレノイドである。
【００１２】
請求項５に記載の発明は、請求項２から請求項４のいずれか一項に記載の発明において、前記コイルボビンは、前記突起部が前記第２の鍔部と前記第１の保持板部及び前記第２の保持板部とにそれぞれ跨るように２つ設けられていることを特徴とするソレノイドである。
【００１３】
請求項６に記載の発明は、請求項１から請求項５のいずれか一項に記載の発明において、前記コイルボビンは、前記第１の保持板部と前記第２の保持板部との少なくともいずれか一方が前記第２の鍔部に背向する面から前記コイルの巻線の端部が突出すると共に、前記巻芯部の中心軸と平行に延びるように溝又は貫通孔を設け、前記溝又は前記貫通孔の内部に前記コイルの前記巻線の端部近傍の部分を配線していることを特徴とするソレノイドである。
【００１４】
請求項７に記載の発明は、請求項６に記載の発明において、前記コイルボビンは、前記第１の保持板部及び前記第２の保持板部の上端側及び下端側に前記溝をそれぞれ設け、かつ、前記第１の保持板部の上端側の前記溝と前記第１の保持板部の下端側の前記溝との間と、前記第２の保持板部の上端側の前記溝と前記第２の保持板部の下端側の前記溝との間とにそれぞれ前記貫通孔を設け、これらの前記貫通孔に嵌合されると共に前記第２の鍔部に背向する面から突出する導電性の棒体をそれぞれ設け、前記コイルの前記巻線の端部近傍の部分を前記棒体に巻回していることを特徴とするソレノイドである。
【００１５】
請求項８に記載の発明は、請求項２から請求項７のいずれか一項に記載の発明において、前記ベースは、上端部から前記永久磁石の上端面に沿って延びるように形成された折曲部をさらに備えたことを特徴とするソレノイドである。
【発明の効果】
【００１６】
請求項１に記載の発明によれば、第１の保持板部と第２の保持板部との間に永久磁石及びベースを配置し、コイルボビン、ベース及び永久磁石をヨークで挟持する構造にしたので、ヨークでコイルボビン、ベース及び永久磁石を挟み込んで行くときに、ベース及び永久磁石を適切な位置に保持し、ベース又は永久磁石が側方へ脱出して挟み込みに失敗することを防止できる、したがって、ソレノイドを効率的に組み立てることができる。
【００１７】
請求項２に記載の発明によれば、第１の保持板部及び第２の保持板部と永久磁石及びベースとの間に若干の間隙がある状態で外部から衝撃が加わったとしても、コイルボビンの突起部がベースの切欠部又は開口部内に収まっているので、突起部がベースを係止してベースの離脱を防ぐ。また、永久磁石はベースと第２の挟持板部とに接した状態で組み立てられており、永久磁石とベース及び第２の挟持板部とに吸着力が働いているので、永久磁石の離脱も防ぐことができる。
【００１８】
請求項３に記載の発明によれば、コイルボビンの保持筒部は第１の挟持板部の開口部に挿入されているので、開口部が保持筒部を係止してコイルボビンの第１の鍔部側の離脱も防ぐことができる。
【００１９】
請求項４に記載の発明によれば、第２の鍔部と第２の挟持板部との間に永久磁石を差し込むと、コイルボビンを永久磁石に押し付ける、つまり保持筒部を第１の挟持板部の開口部から離脱させる方向に動かしても、保持筒部の挿入状態が維持されることになる。したがって、いったん永久磁石を差し込むと、コイルボビンがヨークから離脱することがなく、組立作業が容易になる。
【００２０】
請求項５に記載の発明によれば、第２の鍔部と第１の保持板部及び第２の保持板部とに跨るように設けた２つの突起部が２つの保持板部の先端部同士を遠ざけるような応力に対する補強材となる。したがって、ベース及び永久磁石を差し込むとき、又は、差し込んだ後における２つの保持板部の変形を低減し、ソレノイドの組付状態をより確実に維持することができる。
【００２１】
請求項６に記載の発明によれば、コイルを構成するコイルワイヤの端部近傍の固定作業が容易になる。
【００２２】
請求項７に記載の発明によれば、第１の保持板部及び第２の保持板部の上端側と下端側とのいずれにもコイルの巻線の端部近傍を配線できるので、コイルボビンの上下方向の区別が必要でなく組み立て作業が容易になる。同時に、上に、コイルを構成するコイルワイヤの端部近傍の固定作業が容易になる。
【００２３】
請求項８に記載の発明によれば、第２の鍔部と永久磁石との間にベースを押し込むと、折曲部が永久磁石の上端面に接したところで押し込めなくなるので、コイルボビンの突起部がベースの切欠部又は開口部内に入った後で再び離脱するほど過剰にベースを押し込むことを防止できる。
【図面の簡単な説明】
【００２４】
【図１】本発明の実施の形態に係るソレノイドの説明図（１）であり、（Ａ）は正面図、（Ｂ）は平面図、（Ｃ）は右側面図、（Ｄ）は左側面図である。
【図２】本発明の実施の形態に係るソレノイドの説明図（２）であり、（Ａ）はＡ−Ａ線における断面図、（Ｂ）はＢ−Ｂ線における断面図である。
【図３】コイルボビンの説明図（１）であり、（Ａ）は正面図、（Ｂ）は平面図、（Ｃ）は右側面図、（Ｄ）は左側面図である。
【図４】コイルボビンの説明図（２）であり、（Ａ）はＣ−Ｃ線における断面図、（Ｂ）はＤ−Ｄ線における断面図である。
【図５】コイルボビンへのコイルの巻回状態を示す平面図である。
【図６】ヨークの説明図（１）であり、（Ａ）は正面図、（Ｂ）は平面図、（Ｃ）は右側面図、（Ｄ）は左側面図である。
【図７】ヨークの説明図（２）であり、（Ａ）はE−E線における断面図、（Ｂ）はコイルボビン及び永久磁石ヨークへの配置を示す断面図であり、（Ｃ）はヨークとコイルボビンとの長さ関係を示す断面図である。
【図８】可動磁極の説明図であり、（Ａ）は正面図、（Ｂ）は右側面図、（Ｃ）は左側面図である。
【図９】ベース、永久磁石及びリングの説明図であり、（Ａ）はベースの右側面図、（Ｂ）ベースの正面図、（Ｃ）は永久磁石の右側面図、（Ｄ）は永久磁石の正面図、（Ｅ）はリングの右側面図、（Ｆ）はリングの正面図である。
【図１０】ソレノイドの動作状態の説明図であり、（Ａ）は可動磁極の吸引時の状態、（Ｂ）は非通電状態、（Ｃ）は可動磁極の反発時の状態である。
【図１１】ソレノイドの組立手順の説明図（１）であり、（Ａ）及び（Ｂ）はコイルボビンの取付手順、（Ｃ）は永久磁石の取付手順である。
【図１２】ソレノイドの組立手順の説明図（２）であり、（Ｄ）及び（Ｅ）はベースの取付手順、（Ｆ）は可動磁極の取付手順である。
【図１３】本発明の実施の形態に係るソレノイドの変形例の説明図（１）であり、（Ａ）は平面図、（Ｂ）は右側面図である。
【図１４】本発明の実施の形態に係るソレノイドの変形例の説明図（２）であり、（Ａ）は平面図、（Ｂ）は右側面図、（Ｃ）はベースの右側面図、（Ｄ）は永久磁石の右側面図である。
【図１５】従来技術に係るソレノイドの構造を示す斜視図である。
【発明を実施するための形態】
【００２５】
以下に、本発明の実施の形態に係るソレノイドを図面に基づいて説明する。図１は、本発明の実施の形態に係るソレノイドの説明図（１）であり、（Ａ）は正面図、（Ｂ）は平面図、（Ｃ）は右側面図、（Ｄ）は左側面図である。また、図２は、本発明の実施の形態に係るソレノイドの説明図（２）であり、（Ａ）はＡ−Ａ線における断面図、（Ｂ）はＢ−Ｂ線における断面図である。図１において、１０はコイルボビン、１１は巻芯部、１２は第１鍔部、１３は第２鍔部、１５は第１保持板部、１６は第２保持板部、１９ａ、１９ｂ、２０ａ及び２０ｂは溝、２２及び２３は貫通孔、２４はコイル、２５及び２６は棒状端子、３０はヨーク、３１は基板部、３２は第１挟持板部、３３は第２挟持板部、３５及び３６は固定部、３７及び３８は開口部、４０は可動磁極、４１は本体部、４２は先端部４２はくびれ部、４５はベース、４６は折曲部、４８は永久磁石、４９はワッシャ、５０はソレノイドである。図２において用いた符号は、すべて図１と同じものを示す。なお、コイル２４については、図１を始めとする各図面において、線条を繰り返し巻回した細かい態様の記載を省略し、総体的な外観形状によって表現している。
【００２６】
まず、図１及び図２に基づいて、本発明の実施の形態に係るソレノイドの概略構造等について述べる。ソレノイド５０は、略コ字状のヨーク３０の第１挟持板部３２と第２挟持板部３３の間に略円筒状のコイル２４を配置している。さらに、ヨーク３０の第１挟持板部３２と第２挟持板部３３の間には、ベース４５及び永久磁石４８を設けており、ベース４５は可動磁極４０側に配置されている。また、ヨーク３０は、第１挟持板部３２と第２挟持板部３３とでコイルボビン１０、ベース４５及び永久磁石４８を挟持している。すなわち、コイルボビン１０とベース４５の第１の面が接しており、ベース４５の第２の面は永久磁石４８の第１の面に接し、さらに永久磁石４８の第２の面は第２挟持板部３３と接している。コイル２４は、コイルボビン１０の巻芯部１１に巻回されている。巻芯部１１の内部には、可動磁極４０を先端部４２側、又は、その反対側へ摺動可能な状態で配置している。したがって、可動磁極４０がその基端側へ摺動したときには、可動磁極４０の基端部はベース４５に接する。
【００２７】
コイル２４の両端部は、コイルボビン１０の第１保持板部１５及び第２保持板部１６に支持された棒状端子２５及び２６に巻回されている。また、可動磁極４０は、ヨーク３０、ベース４５及び永久磁石４８と磁気回路を構成している。可動磁極４０は、コイル２４に非通電で、かつ、負荷がないときは、永久磁石４８の磁束によってベース４５に吸着された状態になる。したがって、この実施の形態に係るソレノイドは、いわゆる自己保持型ソレノイドである。コイル２４に通電したときは、電流の方向によって、可動磁極４０がベース４５から離れるか、可動磁極４０がベース４５に瞬時に吸着されるかのいずれかとなる。したがって、ソレノイド５０は、可動磁極４０に接続された負荷装置の可動部を瞬時に引っ張ることが主な機能となる。
【００２８】
次に、ソレノイド５０の構成要素について説明する。図３は、コイルボビンの説明図（１）であり、（Ａ）は正面図、（Ｂ）は平面図、（Ｃ）は右側面図、（Ｄ）は左側面図である。図４は、コイルボビンの説明図（２）であり、（Ａ）はＣ−Ｃ線における断面図、（Ｂ）はＤ−Ｄ線における断面図である。図３において、１２ａは外側面、１３は第２鍔部、１３ａは外側面、１４は保持筒部、１７及び１８は突起部、２１は中空部、２１ａ及び２１ｂは開口部である。図４において用いた符号は、すべて図１及び図３と同じものを示す。
【００２９】
図３及び図４に示すように、コイルボビン１０は、全体が樹脂製であり、略円筒状に形成された巻芯部１１と、巻芯部１１の可動磁極４０の先端側の端部に形成された略矩形板状の第１鍔部１２と、巻芯部１１の可動磁極４０の基端側の端部に形成された略矩形板状の第２鍔部１３とを備えている。また、第１鍔部１２の外側面１２ａの開口部２１ａの周囲には、略円筒状の保持筒部１４が形成されている。さらに、第２鍔部１３の右端部と左端部には、略矩形板状の第１保持板部１５と第２保持板部１６とが形成されている。なお、コイルボビン１０は、非磁性の金属の表面に絶縁性の被膜を形成したものであってもよい。
【００３０】
巻芯部１１は、外周面にコイル２４のコイルワイヤを巻回するためのものであると共に、コイルボビン１０の構造の基礎となるものである。また、巻芯部１１の中空部２１は、可動磁極４０を保持しつつ摺動させるための保持部兼案内部となっている。なお、巻芯部１１は、楕円筒状に形成してもよく、多角形筒状に形成してもよい。第１鍔部１２と第２鍔部１３とは、互いに平行で、かつ、巻芯部１１の中心軸と直交するように形成されている。
【００３１】
ソレノイド５０を組み立てた状態において、ヨーク３０がコイルボビン１０、ベース４５及び永久磁石４８を挟持しているので、第１鍔部１２の外側面１２ａは第１挟持板部３２と軽く圧接し、第２鍔部１３の外側面１３ａはベース４５と軽く圧接した状態となる。なお、図３及び図４に示したコイルボビン１０には上下の方向性はない、つまり図３に表したものを上下逆にしてもそのまま使用できるが、コイルボビン１０に上下の方向性を持たせる場合には、方向性の判別を容易にするために、第１鍔部１２又は第２鍔部１３を上部が尖った野球のホームベース状の５角形など他の形状に形成してもよい。また、第２鍔部１３の外側面１３ａの開口部２１ｂの右側方と左側方には、それぞれ突起部１７と突起部１８とを形成している。
【００３２】
保持筒部１４は、外側面１２ａの中央に露出した巻芯部１１の開口部の周辺から第２鍔部１３と背向する方向に、かつ、巻芯部１１の中心軸と平行になるように延びており、その内周面は巻芯部１１の内周面と連続するように形成されている。また、保持筒部１４は、ソレノイド５０を組み立てる過程において、第１挟持板部３２の開口部に挿入されてコイルボビン１０がヨーク３０から容易に離脱しないようにすることによって組立を容易にする役割を持つ。さらには、ソレノイド５０の使用中においても、外部からの振動や衝撃によってコイルボビン１０がヨーク３０から離脱することを防止する役割も持つ。したがって、後ほど詳しく述べるように、保持筒部１４が外側面１２ａから巻芯部１１の中心軸に平行に延びる長さは、これらのことを考慮したものにする必要がある。また、この実施の形態では、保持筒部１４の肉厚を巻芯部１１の肉厚よりも薄くしているが、この肉厚は適宜変更できる。
【００３３】
第１保持板部１５は、第２鍔部１３の右端部から第１鍔部１２と背向する方向に、かつ、巻芯部１１の中心軸と平行に延びている。同様に、第２保持板部１６は、第２鍔部１３の左端部から第１鍔部１２と背向する方向に、かつ、巻芯部１１の中心軸と平行に延びており、第１保持板部１５と平行に配置されている。また、ソレノイド５０を組み立てた状態において、第１保持板部１５と第２保持板部１６との間には、ベース４５、永久磁石４８及びヨーク３０の第２挟持板部３３が位置するが、これらは第１保持板部１５及び第２保持板部１６に対して嵌合されているわけではない。すなわち、これらの保持板部は、ヨーク３０の第１挟持板部３２と第２挟持板部３３とで、コイルボビン１０、ベース４５及び永久磁石４８を挟み込んで行くときに、ベース４５及び永久磁石４８を適切な位置に保持し、ベース又は永久磁石が側方へ脱出して挟み込みに失敗することを防止するためのものであるので、第１保持板部１５と第２保持板部１６との間隔は、これらの間にあるベース４５、永久磁石４８及び第２挟持板部３３ががたつく程には広くなく、かつ、これらを圧入ほど狭くない範囲に設定している。
【００３４】
また、第１保持板部１５と第２保持板部１６とには、巻芯部１１の中心軸と平行に延びように貫通孔２２と貫通孔２３とをそれぞれ形成している。貫通孔２２と貫通孔２３とは、棒状端子２５と棒状端子２６とをそれぞれに嵌合することによってこれらの棒状端子をコイルボビン１０に固定する役割を持つ。さらに、第１保持板部１５と第２保持板部１６とには、これらの上端面と下端面とに、溝１９ａ及び１９ｂと、溝２０ａ及び２０ｂとをそれぞれ形成している。これらの溝は、コイル２４の端部近傍の部分を内部に配線するためのものであり、巻芯部１１の中心軸と平行に延びように同じ形状に形成されている。なお、配線するコイルワイヤは２本であるので、溝１９ａ及び１９ｂと、溝２０ａ及び２０ｂとのうち、実際に使用するのは上下いずれか一方のみになる。しかしながら、この実施の形態では、第１保持板部１５と第２保持板部１６との上端面及び下端面に溝を形成することによってコイルボビン１０の上下の方向性をなくし、作業者が誤ってコイルボビン１０を上下逆に取り付けることによって作業効率が低下することを防止している。なお、溝１９ａ、１９ｂ、２０ａ及び２０ｂ、又は、貫通孔２２及び２３を形成せず、棒状端子２５及び２６、又は、コイル２４の端部近傍の部分を第１保持板部１５及び第２保持板部１６の側面に接着剤で貼り付けておくことも可能であるが、外部接続端子としての強度等を考慮すると、溝１９ａ、１９ｂ、２０ａ及び２０ｂ、又は、貫通孔２２及び２３を設けることが望ましい。また、溝１９ａ及び１９ｂと、溝２０ａ及び２０ｂとに代えて、第１保持板部１５と第２保持板部１６とに配線用の貫通孔を設けてもよい。
【００３５】
突起部１７及び１８は、ソレノイド５０を組み立てたときに、後に説明する図９（Ａ）に示すベース４５の切欠部４７ａ及び４７ｂの空間内に入り込むことによってベース４５を係止するものである。また、突起部１７と突起部１８とは、図４（Ａ）に示すように、第２鍔部１３だけでなく、第１保持板部１５と第２保持板部１６とに跨るように形成されている。ところで、第１保持板部１５と第２保持板部１６との間隙にベース４５及び永久磁石４８を挿入したときにこれらの寸法精度が十分でないと、第１保持板部１５の先端部と第２保持板部１６の先端部とが開くような形でこれらの保持板部が多少変形した状態になることがある。このように変形すると、第１保持板部１５の基端部と第２保持板部１６の基端部には、これらを折り曲げるような応力が常時加わることになる。そこで、突起部１７及び１８を第２鍔部１３と２つの保持板部とに跨るように形成し、補強リブとして機能するようにしている。なお、第１保持板部１５及び第２保持板部１６の強度が十分にあるときには、突起部１７及び１８を第２鍔部１３の外側面１３ａ上のみに形成してもよい。さらに、ベース４５を係止することがあまり要求されない場合は、突起部を外側面１３ａの中央付近に１つのみ形成してもよい。
【００３６】
図５は、コイルボビンへのコイルの巻回状態を示す平面図である。図５において、２４ａ及び２４ｂは導出線であり、その他の符号は図１と同じものを示す。コイル２４は、図５に示すように、巻芯部１１にコイルワイヤを巻回することによって形成されている。さらに、コイル２４の端部近傍の部分である導出線２４ａと導出線２４ｂとは、それぞれ溝１９ａと溝２０ａとに配線されている。くわえて、導出線２４ａ及び２４ｂのさらに先端寄りの部分は棒状端子２５と棒状端子２６とにそれぞれ巻回された上で図示していないハンダによってこれらの棒状端子に固定されている。
【００３７】
図６は、ヨークの説明図（１）であり、（Ａ）は正面図、（Ｂ）は平面図、（Ｃ）は右側面図、（Ｄ）は左側面図である。また、図７は、ヨークの説明図（２）であり、（Ａ）はE−E線における断面図、（Ｂ）はコイルボビン及び永久磁石のヨークへの配置を示す断面図であり、（Ｃ）はヨークとコイルボビンとの長さ関係を示す断面図である。図６において、３４は開口部であり、その他の符号は図１と同じものを示す。図７において用いた符号は、すべて図１及び図６と同じものを示す。
【００３８】
ヨーク３０は、磁気回路を構成する固定磁極の１つであると共に、他の構成要素を挟持することによってソレノイド５０の全体構造を維持する役割と、他の機器に対して固定される基礎材としての役割とを併せ持っている。また、ヨーク３０は、１枚の磁性金属板を加工して形成したものであり、金属板の折り曲げによって基板部３１、第１挟持板部３２及び第２挟持板部３３を形成している。なお、ヨーク３０は、複数の磁性金属板をかしめなどの方法で一体化したものであってもよい。また、ヨーク３０に対して別の磁性金属板をかしめて取り付け、ヨーク３０とこの金属板で略ロ字状の固定磁極を構成してもよい。
【００３９】
基板部３１は、磁気回路を構成する固定磁極であると共に、他の機器に対して固定される基礎材でもある。すなわち、全体を略矩形板状に形成すると共に、基板部３１の長手方向の２つの縁辺の中央付近から張り出すように固定部３５及び３６を形成している。固定部３５と固定部３６とには、ネジ止めのために開口部３７と開口部３８とがそれぞれ形成されている。なお、基板部３１は、磁気回路を構成する上で支障がなければ、楕円形板状や多角形板状など他の形状にしてもよい。また、開口部３７と開口部３８とを形成する部位は適宜変更しても良い。
【００４０】
第１挟持板部３２は、コイルボビン１０を保持するために中央に開口部３４を形成している。開口部３４の径は、コイルボビン１０の保持筒部１４の外径よりも若干大きく設定しており、開口部３４に挿入した保持筒部１４ががたつかないようにしている。さらに、第１挟持板部３２は、第２挟持板部３３と対向するように形成されており、前述のように、第２挟持板部３３と共にコイルボビン１０、ベース４５及び永久磁石４８を挟持している。第２挟持板部３３は、第１挟持板部３２と同一形状の外形であるが、開口部は形成されておらず、コイルボビン１０、ベース４５及び永久磁石４８を挟持する役割のみを持つ。
【００４１】
ところで、第１挟持板部３２と第２挟持板部３３との間隙は、コイルボビン１０、ベース４５及び永久磁石４８を挟持するために、第１鍔部１２の外側面１２ａから第２鍔部１３の外側面１３ａまでの長さと、ベース４５及び永久磁石４８の厚さとの和とほぼ同一になるように設定している。また、ソレノイド５０の組立時には、第１挟持板部３２と第２挟持板部３３との間にコイルボビン１０の巻芯部１１、第１鍔部１２、第２鍔部１３及び保持筒部１４を挿入する必要がある。そこで、図７（Ｃ）に示すように、コイルボビン１０の保持筒部１４の先端部から第２鍔部１３の外側面１３ａまでの長さは第１挟持板部３２と第２挟持板部３３との間隙よりも短くし、保持筒部１４と第１挟持板部３２との間に間隙ができるようにしている。したがって、保持筒部１４の長さは、ベース４５と永久磁石４８との厚さの和未満にする必要がある。
【００４２】
また、２つの挟持板部の間にコイルボビン１０の保持筒部１４等を挿入した後は、永久磁石４８、ベース４５の順に挿入する。ベース４５を挿入するときに保持筒部１４が開口部３４から抜け出てしまうと、保持筒部１４の先端部が第１鍔部１２の外側面１２ａに当たるので、永久磁石４８と第２挟持板部３３との間隙は、ベース４５を挿入するのに足りないものとなる。保持筒部１４のように固定せず単に挿入しているだけものは、作業者が指先で触れただけでも抜け出ることがある。小型のソレノイドにおいてはこれが著しいことがあり、作業効率低下の原因となっている。そこで、この実施の形態では、コイルボビン１０の保持筒部１４の先端部から第２鍔部１３の外側面１３ａまでの長さと永久磁石４８の厚さとの和を第１挟持板部３２と第２挟持板部３３との間隙以上にしている。このようにすると、図７（Ｂ）に示すように、２つの挟持板部の間にコイルボビン１０と永久磁石４８とを位置させたときに、保持筒部１４が開口部３４に必ず接した状態となって抜け出ることがない。
【００４３】
以上に述べたことをまとめると、コイルボビン１０の保持筒部１４の巻芯部１１の中心軸方向における長さは、永久磁石４８の厚さ以上で、かつ、ベース４５の厚さと永久磁石４８の厚さの和未満であれば、コイルボビン１０の巻芯部１１等を第１挟持板部３２と第２挟持板部３３との間に支障なく置くことができ、ベース４５を挿入するときに保持筒部１４が開口部３４から抜け出てしまうことがなくなるという効果がある。なお、保持筒部１４は、組立時に開口部３４から抜け出ないという効果があるだけでなく、ソレノイド５０の組立後にコイルボビン１０をヨーク３０に固定させるという効果もあることは言うまでもない。
【００４４】
図８は、可動磁極の説明図であり、（Ａ）は正面図、（Ｂ）は右側面図、（Ｃ）は左側面図である。図８において、４４は基端部であり、その他の符号は図１と同じものを示す。可動磁極４０は、巻芯部１１の内部に、可動磁極４０を先端部４２側、又は、基端部４４側へ摺動可能な状態で配置されている。可動磁極４０がその基端側へ摺動したときには、可動磁極４０の基端部４４はベース４５に吸着される。また、この実施の形態では、可動磁極４０が巻芯部１１から離脱することを阻止する手段を設けていない。作業者が可動磁極４０を巻芯部１１の内部に挿入すると、永久磁石４８の磁束によってベース４５に吸着されるので、この挿入作業だけでこの磁極の組立が完了することになる。なお、この実施の形態では、負荷装置の可動部に接続することを容易にするために先端部４２とくびれ部４３とを図８に示した形状にしているが、これらの部分は負荷装置の構造等に応じて適宜変更可能である。また、基端部４４は、吸引力の調整のために、基端に行くに従って縮径するようなテーパを形成している。この部分については、要求される吸引力又はストロークに応じて適宜変更可能である。
【００４５】
図９は、ベース、永久磁石及びリングの説明図であり、（Ａ）はベースの右側面図、（Ｂ）ベースの正面図、（Ｃ）は永久磁石の右側面図、（Ｄ）は永久磁石の正面図、（Ｅ）はリングの右側面図、（Ｆ）はリングの正面図である。図９において、４７ａ及び４７ｂは切欠部であり、その他の符号は図１と同じものを示す。
【００４６】
ベース４５は、固定磁極の１つであり、全体を略矩形板状に形成している。また、左右側部の中央付近に切欠部４７ａ及び４７ｂを形成している。切欠部４７ａ及び４７ｂは、ソレノイド５０を組み立てた状態において、コイルボビン１０の突起部１７及び１８に対応する位置に形成してある。すなわち、ソレノイド５０を組み立てると、切欠部４７ａ及び４７ｂによってできた空間内に突起部１７及び１８が入り込んだ状態となるので。ベース４５はコイルボビン１０に係止されることになる。なお、突起部１７及び１８を形成する位置によっては、切欠部４７ａ及び４７ｂに代えて開口部を形成してもよい。また、この実施の形態では、ベース４５は、ソレノイド５０を組み立てた状態において、下端部が基板部３１に接する高さとしているが、下端部が基板部３１に接しない高さとすることも可能である。
【００４７】
また、ベース４５の上部は水平方向に折り曲げられた折曲部４６となっている。折曲部４６と切欠部４７ａ及び４７ｂとの距離は、第２鍔部１３と永久磁石４８との間にベース４５を押し込んで、ベース４５を切欠部４７ａ及び４７ｂによってできた空間内に突起部１７及び１８が入り込んだときに、折曲部４６が永久磁石４８の上端面に接するように設定してある。したがって、ソレノイド５０を組み立てるときに、切欠部４７ａ及び４７ｂによってできた空間内に突起部１７及び１８が入り込んだ後に、ベース４５を押し込みすぎることによってこの空間から離脱することを防止できる。また、ソレノイド１０を組み立てた状態において、折曲部４６と永久磁石４８の上端面とが接しているので、永久磁石４８の上端面から外部空間へ漏出する磁束を磁気回路に取り込めるという利点もある。
さらに、組立時に、ベース４５を第２鍔部１３と永久磁石４８との間に押し込むときに、折曲部４６があると指先で押し込みやすいという効果もある。くわえて、コイルボビン１０を分解する場合には、工具の先端を折曲部４６と永久磁石４８との間に差し込み、工具を上に上げるだけでベース４５を抜き出せるという効果もある。なお、ベース４５等の寸法精度を十分に確保できる場合には、折曲部４６を省略することも可能である。
【００４８】
永久磁石４８は、ソレノイド５０を組み立てた状態において、ベース４５と第２挟持板部３３との間に位置する。また、前述のように、ベース４５を介して可動磁極４０を吸引することによって、可動磁極４０の自己保持を可能にしている。また、ヨーク３０、ベース４５及び可動磁極４０を流れる磁気回路を生成し、可動磁極４０に対してベース４５を介して吸引力を及ぼしている。さらに、永久磁石４８、ヨーク３０及びベース４５を巡る小さな磁気回路も生成され、これらの間に吸着力を及ぼしている。ワッシャ４９は、負荷装置の可動部への緩衝となるものである。
【００４９】
次に、この実施の形態に係るソレノイドの動作について説明する。図１０は、ソレノイドの動作状態の説明図であり、（Ａ）は可動磁極の吸引時の状態、（Ｂ）は非通電状態、（Ｃ）は可動磁極の反発時の状態である。図１０において用いた符号は、すべて図１と同じものを示す。
【００５０】
コイル２４に対して、図１０（Ａ）に示す方向に磁束が流れるように通電したときは、永久磁石４８によって生成された磁束と相俟って、可動磁極４０はベース４５に瞬時に吸着される。可動磁極４０がベース４５に吸着されると、この方向に通電し続ける限り、可動磁極４０はベース４５に強く吸着された状態が維持される。
【００５１】
また、コイル２４に通電していないときは、図１０（Ｂ）に示すように、永久磁石４８によって生成された磁束によって、可動磁極４０がベース４５に吸着された状態がそのまま維持される。
【００５２】
コイル２４に対して、図１０（Ｃ）に示す方向に磁束が流れるように通電したときは、この通電によって図１０（Ａ）とは逆方向の磁束が生成され、コイル２４を流れる電流が所定値になったところで、この磁束と永久磁石４８による磁束とが互いに打ち消し合う状態になり、可動磁極４０に接続された負荷装置からの力によってベース４５から離隔する。なお、図１０（Ｃ）に示す状態においてコイルへの通電を停止すると、永久磁石４８によって生成された磁束によって可動磁極４０がベース４５に吸着される。なお、負荷装置から加わる力の大きさによっては、可動磁極４０がその位置に停止したままの状態になる場合もある。
【００５３】
次に、この実施の形態に係るソレノイドの組立手順について説明する。図１１は、ソレノイドの組立手順の説明図（１）であり、（Ａ）及び（Ｂ）はコイルボビンの取付手順、（Ｃ）は永久磁石の取付手順である。また、図１２は、ソレノイドの組立手順の説明図（２）であり、（Ｄ）及び（Ｅ）はベースの取付手順、（Ｆ）は可動磁極の取付手順である。図１１及び図１２において用いた符号は、すべて図１及び図３と同じものを示す。なお、以下の説明では、コイルワイヤをコイルボビン１０に巻回してコイル２４を設けた後の組立手順について述べる。
【００５４】
まず、図１１（Ａ）に示すように、第１挟持板部３２と第２挟持板部３３との間にコイルボビン１０の巻芯部１１、第１鍔部１２、第２鍔部１３及び保持筒部１４を挿入する。なお、前述のように、保持筒部１４の先端部から第２鍔部１３の外側面１３ａまでの長さは、第１挟持板部３２と第２挟持板部３３との間隙よりも短いので、スムーズに挿入することができる。次に、図１１（Ｂ）に示すように、保持筒部１４を第１挟持板部３２の開口部３４に挿入する。なお、開口部３４の径は、コイルボビン１０の保持筒部１４の外径よりも若干大きく設定しているので、保持筒部１４を手作業で挿入することができる。
【００５５】
さらに、図１１（Ｃ）に示すように、第２鍔部１３と第２挟持板部３３との間に永久磁石４８を挿入する。続けて、図１２（Ｄ）に示すように、第２鍔部１３と永久磁石４８との間にベース４５を押し込む。ベース４５の下端部が突起部１７及び１８に当たってからは押し込みにくくなるが、そのまま押し続けると、切欠部４７ａ及び４７ｂによってできた空間内に突起部１７及び１８が入り込んで図１２（Ｅ）に示す状態になる。
【００５６】
次に、図１２（Ｆ）に示すように、開口部３４の中に露出している巻芯部１１の中空部２１に開口部２１ａ側から可動磁極４０を挿入する。永久磁石４８の磁束の影響によって、挿入する途中で可動磁極４０がベース４５に吸着される。最後に、可動磁極４０の先端部４２からワッシャ４９を挿入すると、図１及び図２に示した完成状態となる。
【００５７】
なお、コイルボビンやヨークの形状については、以上説明した実施の形態のものに限られるものではなく、種々の変形を加えることが可能である。図１３は、本発明の実施の形態に係るソレノイドの変形例の説明図（１）であり、（Ａ）は平面図、（Ｂ）は右側面図である。図１３において、２７は溝、２８及び２９は棒状端子、３９は固定部であり、その他の符号は図１と同じものを示す。
【００５８】
図１３に示したコイルボビンは、第１保持板部１５の溝２７をＬ字状に屈曲したものとし、さらに棒状端子２８及び２９を第１保持板部１５の側方、つまり巻芯部１１の中心軸と直交する方向に延びるように形成している。また、ヨークについては、基板部３１の第２保持板部１６がある側に固定部３９を形成し、固定部３９に対して開口部３７及び３８を形成している。この変形例は、外部装置対する電気的接続を巻芯部１１の中心軸と直交する方向に対して行う場合に利点がある。また、ヨークについては、ソレノイド５０のネジ止めを固定部３９のみを用いるので、外部装置との関係で基板部３１の両側方に固定部を設けられない場合に有用な構造である。
【００５９】
また、ベース又は永久磁石についても、以上説明した実施の形態のものに限られるものではなく、種々の変形を加えることが可能である。図１４は、本発明の実施の形態に係るソレノイドの変形例の説明図（２）であり、（Ａ）は平面図、（Ｂ）は右側面図、（Ｃ）はベースの右側面図、（Ｄ）は永久磁石の右側面図である。図１４において、５１は突出部であり、その他の符号は図１と同じものを示す。
【００６０】
図１４（Ｃ）に示したベース４５は、部分的に折曲部４６を設けたものであり、ソレノイド５０の組立時に第１保持板部１５の近くに位置する部位には折曲部４６を設けていない。また、図１４（Ｄ）に示した永久磁石４８は、ソレノイド５０の組立時に第１保持板部１５の近くに位置する部位に上方に延びる突出部５１を設けている。また、ベース４５の折曲部４６を設けていない部位の幅は、突出部５１の幅よりも若干広いものに設定している。ベース４５及び永久磁石４８を以上のように形成したソレノイド５０は、図１４（Ａ）及び（Ｂ）に示すように、突出部５１がベース４５及び第２挟持板部３３よりも上方に突出したものとなる。この変形例では、以上のように構成することにより、永久磁石４８を誤って逆極性で取り付けることを防止している。すなわち、永久磁石４８のＮ極側とＳ極側とのいずれの極をベース４５側に向けるかは、コイル２４の巻回方向や電流を流す方向によって決まるが、いずれにせよ所定の極をベース４５側に向ける必要がある。この変形例では、２つの挟持板部の間に永久磁石４８を逆方向に挿入すると、ベース４５を挿入するときに突出部５１が折曲部４６に当接し、ベース４５を完全に挿入することができなくなる。したがって、永久磁石４８が正しい方向を向いた状態で組み立てることができ、作業効率を向上できる利点がある。
【００６１】
以上説明したように、この実施の形態に係るソレノイド５０においては、第１挟持板部３２の開口部３４に保持筒部１４を挿入し、第２挟持板部３３を第１保持板部１５と第２保持板部１６との間に位置させつつ、第１挟持板部３２と第２挟持板部３３との間にコイルボビン１０の巻芯部１１、第１鍔部１２及び第２鍔部１３を置き、第２鍔部１３と第２挟持板部３３との間に永久磁石４８とベース４５を差し込むことによって容易に組立できる。しかも、以上の組立を手作業だけで行うことができる。また、ソレノイド５０の寸法精度が高くない状態下で外部から衝撃が加わったとしても、コイルボビン１０の突起部１７及び１８がベース４５の切欠部４７ａ及び４７ｂの空間内に収まっているので、突起部１７及び１８がベース４５を係止してベース４５の離脱を防ぐ。また、永久磁石４８はベース４５と第２挟持板部３３とに接した状態で組み立てられており、さらに永久磁石４８、ヨーク３０及びベース４５を巡る磁気回路によってベース４５及び第２挟持板部３３との間に吸引力が働いているので、永久磁石４８も離脱することがない。同時に、ベース４５は、この吸着力によっても離脱が防止される。さらに、コイルボビン１０の保持筒部１４は第１挟持板部３２の開口部３４に挿入されているので、開口部３４が保持筒部１４を係止してコイルボビン１０の第１鍔部１２側の離脱も防ぐ。くわえて、コイルボビン１０の第２鍔部１３側は、突起部１７及び１８がベース４５の切欠部４７ａ及び４７ｂに係止されているので、離脱が防がれる。要するに、ヨーク３０の挟持する力と、永久磁石４８の磁力と、突起部１７及び１８及び保持筒部１４における係止構造によってソレノイド５０の組付状態を確実に維持する効果がある。
【００６２】
ベース４５に折曲部４６を形成したときには、ソレノイド５０を組み立てるときに、切欠部４７ａ及び４７ｂによってできた空間内に突起部１７及び１８が入り込んだ後に、ベース４５を必要以上に押し込み続けることによって突起部１７及び１８がこの空間から離脱することを防止できる。また、永久磁石４８を逆極性となる方向に組み込んだ場合など、組み立てたソレノイド５０を何らか理由でいったん分解して組立直すときには、折曲部４６と永久磁石４８との間に工具を差し込み、さらに工具を引き上げることによってベース４５を簡単に抜き取ることができる。また、保持筒部１４の巻芯部１１の中心軸方向における長さが永久磁石４８の厚さ以上で、かつ、ベース４５の厚さと永久磁石４８の厚さの和未満としているので、第２鍔部１３と第２挟持板部３３との間に永久磁石４８を差し込むと、コイルボビン１０を永久磁石４８に押し付ける、つまり保持筒部１４を第１挟持板部３２の開口部３４から離脱させる方向に動かしても、保持筒部１４の挿入状態は維持されているので、いったん永久磁石４８を差し込むと、コイルボビン１０がヨーク３０から離脱することがなく、組立作業が容易になる効果がある。
【００６３】
さらに、第２鍔部１３と第１保持板部１５及び第２保持板部１６とに跨るように設けた突起部１７及び１８が２つの保持板部の先端部同士を遠ざけるような応力に対する補強材となっているので、ベース４５及び永久磁石４８を差し込むとき、又は、差し込んだ後における２つの保持板部の変形を低減し、ソレノイド５０の組付状態をより確実に維持する効果もある。くわえて、ソレノイド５０を他の機器に組み込んだときには、コイル２４の端部に接続する棒状端子２５及び２６、及び棒状端子２５及び２６に接続されたコネクタは、ベース４５、永久磁石４８及び第２挟持板部３３に背向側のすぐ近傍に位置することになる。つまり、第２鍔部１３等を棒状端子２５及び２６やコネクタの後背部から見ると、第２鍔部１３等はコネクタという障壁の背後に隠れることになる。したがって、ソレノイド５０を他の機器に組み込む作業の途中で、不注意で工具をコネクタの後背側から第２鍔部１３等にぶつけて変形又は破損させることがなくなる。ひいては、ソレノイド５０の変形又は破損を低減し、組付状態をより確実に維持できる効果がある。
【００６４】
第１保持板部１５及び第２保持板部１６の第２鍔部１３に背向する面からコイル２４を構成するコイルワイヤの導出線２４ａ及び２４ｂが突出しているので、コイルの巻線の端部近傍の固定作業が容易になる効果がある。また、第１保持板部１５の溝１９ａ又は１９ｂと、第２保持板部１６の溝２０ａ又は２０ｂとのいずれにもコイルワイヤの端部近傍部分を配線できるので、コイルボビンの上下方向の区別が必要でなく組み立て作業が容易になる。また、第１保持板部１５と第２保持板部１６とに、貫通孔２２と貫通孔２３とを設けて、これらの貫通孔に棒状端子２５と棒状端子２６を嵌合させ、さらにこれらの棒状端子にコイルワイヤの端部近傍部分を巻回しているので、るコイルワイヤの端部近傍の固定作業が容易になる。
【００６５】
なお、本発明は以上に説明した内容に限定されるものではなく、例えば、コイルボビンの保持板部又は保持筒部の細部の形状、棒状端子の形状や棒状端子を設ける位置、ベース又は永久磁石の外形、コイルの径やコイルワイヤの種類などについては、各請求項に記載した範囲を逸脱しない限りにおいて種々の変形を加えることが可能である。
【符号の説明】
【００６６】
１０ コイルボビン
１１ 巻芯部
１２ 第１鍔部
１２ａ 外側面
１３ 第２鍔部
１３ａ 外側面
１４ 保持筒部
１５ 第１保持板部
１６ 第２保持板部
１７ 突起部
１８ 突起部
１９ａ 溝
１９ｂ 溝
２０ａ 溝
２０ｂ 溝
２１ 中空部
２１ａ 開口部
２１ｂ 開口部
２２ 貫通孔
２３ 貫通孔
２４ コイル
２４ａ 導出線
２４ｂ 導出線
２５ 棒状端子
２６ 棒状端子
２７ 溝
２８ 棒状端子
２９ 棒状端子
３０ ヨーク
３１ 基板部
３２ 第１挟持板部
３３ 第２挟持板部
３４ 開口部
３５ 固定部
３６ 固定部
３７ 開口部
３８ 開口部
３９ 固定部
４０ 可動磁極
４１ 本体部
４２ 先端部
４３ くびれ部
４４ 基端部
４５ ベース
４６ 折曲部
４７ａ 切欠部
４７ｂ 切欠部
４８ 永久磁石
４９ ワッシャ
５０ ソレノイド
５１ 突出部
９０ ソレノイド
９１ ヨーク
９２ コイルボビン
９３ コイル
９４ 可動磁極
９５ 固定磁極
９６ａ 被係合部
９６ｂ 被係合部
９７ 係合部凸部
９８ 取り付け部材
９８ａ 係止爪
９８ｂ 係止爪
９９ ガイド溝
９９ａ 係止部
９９ｂ 係止部
【図１】
2011146487.tif 000003
【図２】
2011146487.tif 000004
【図３】
2011146487.tif 000005
【図４】
2011146487.tif 000006
【図５】
2011146487.tif 000007
【図６】
2011146487.tif 000008
【図７】
2011146487.tif 000009
【図８】
2011146487.tif 000010
【図９】
2011146487.tif 000011
【図１０】
2011146487.tif 000012
【図１１】
2011146487.tif 000013
【図１２】
2011146487.tif 000014
【図１３】
2011146487.tif 000015
【図１４】
2011146487.tif 000016
【図１５】
2011146487.tif 000017